(57)【特許請求の範囲】
【請求項１】
被塗布物収納容器、容器内に配置されたときの収納位置において実質的に弾性変形しないアプリケーター素子を一端に備えたロッドを有するアプリケーター、およびアプリケーターを容器から抜去するときにロッドとアプリケーター素子を払拭するワイパー部材を具備する収納塗布装置において、（ｉ）アプリケーター素子（３０、５０、６０、７０、８０、９０、１１０、１３０）がロッド（１９、４４）と角度を成し、（ii）該アプリケーター素子が、アプリケーターを抜去するときにワイパー部材内を通過するように弾性変形可能な弾性変形性本体（３１）を有し、（iii）アプリケーター素子がワイパー部材内を通過するときのワイパー部材の変形度が該アプリケーター素子の変形度よりも実質上小さくなることを特徴とする収納塗布装置。
【請求項２】
被塗布物収納容器、容器内での収納位置において使用時と同じ形態を示すアプリケーター素子を一端に備えたロッドを有するアプリケーター、およびアプリケーターを容器から抜去するときにロッドとアプリケーター素子を払拭するワイパー部材を具備する収納塗布装置において、（ｉ）アプリケーター素子（３０、５０、６０、７０、８０、９０、１１０、１３０）がロッド（１９、４４）と角度を成し、（ii）該アプリケーター素子が、アプリケーターを抜去するときにワイパー部材内を通過するように弾性変形可能な弾性変形性本体（３１）を有し、（iii）アプリケーター素子がワイパー部材内を通過するときのワイパー部材の変形度が該アプリケーター素子の変形度よりも実質上小さくなることを特徴とする収納塗布装置。
【請求項３】
被塗布物収納容器、一端にアプリケーター素子を備えたロッドを有するアプリケーター、およびアプリケーターを容器から抜去するときにロッドとアプリケーター素子を払拭するワイパー部材を具備する収納塗布装置であって、（ｉ）アプリケーター素子が本体を有し、該本体が長手方向に沿って少なくとも一つの塗布部材を有するか、または該本体が長手方向に沿ってその自由端まで延びる塗布面を限定し、（ii）該本体が、アプリケーターを抜去するときにワイパー部材内を通過するように長手方向に沿って弾性変形可能であり、（iii）アプリケーター素子がワイパー部材内を通過するときのワイパー部材の変形度が該アプリケーター素子の本体の変形度よりも実質上小さくなる収納塗布装置。
【請求項４】
ワイパー部材が実質上非変形性である請求項１から３いずれかに記載の装置。
【請求項５】
ワイパー部材が硬質もしくは半硬質のプラスチック材料製である請求項４記載の装置。
【請求項６】
アプリケーター素子が円錐状端部（３２）を有する請求項１から５いずれかに記載の装置。
【請求項７】
アプリケーター素子が扁平状端部（６３）を有する請求項１から５いずれかに記載の装置。
【請求項８】
扁平状端部（６３）が外方向に凸状の１つもしくは２つの主要面（６４、６５）を有する請求項１から７いずれかに記載の装置。
【請求項９】
端部が外方向に凸状の側部エッジ（６６）を有する請求項７または８記載の装置。
【請求項１０】
アプリケーター素子（７０）が１つもしくは複数個の窪み（７５）を有する請求項１から９いずれかに記載の装置。
【請求項１１】
アプリケーター素子がその表面上にフロック（３６、７７）を有する請求項１から１０いずれかに記載の装置。
【請求項１２】
アプリケーター素子がエラストマー材料製の本体（３１）を有する請求項１から１１いずれかに記載の装置。
【請求項１３】
本体がカバーによって包囲され、カバーが本体よりも柔軟である請求項１から１２いずれかに記載の装置。
【請求項１４】
アプリケーター素子が、伸長変形よりも屈曲変形のほうがより容易におこなわれるように配置される請求項１から１３いずれかに記載の装置。
【請求項１５】
ロッドが、アプリケーター素子の最大径よりも小さな直径を有する部分を少なくとも１つ有する請求項１から１４いずれかに記載の装置。
【請求項１６】
アプリケーター素子の本体の弾性が、アプリケーター素子に沿った位置の関数として変化する請求項１から１５いずれかに記載の装置。
【請求項１７】
アプリケーター素子の端部が中間部もしくはロッドとの連結部よりも柔軟である請求項１から１６いずれかに記載の装置。
【請求項１８】
アプリケーター素子がロッドの軸を含む面に関して対称な形態を有する請求項１から１７いずれかに記載の装置。
【請求項１９】
アプリケーター素子がロッドの軸の回りに円対称の形態を有さない請求項１から１８いずれかに記載の装置。
【請求項２０】
アプリケーター素子の本体が発泡体、織布または不織布によって包囲される請求項１から１９いずれかに記載の装置。
【請求項２１】
アプリケーター素子が、中間部もしくはロッドとの連結部よりも柔軟である端部を有する請求項１から２０いずれかに記載の装置。
【請求項２２】
ロッドが軸に沿って直線状であり、該ロッドがその上部端および下部端にそれぞれ把持部材およびアプリケーター素子をそれぞれ有する請求項１から２１いずれかに記載の装置。
【請求項２３】
アプリケーター素子が、該素子と隣接するロッドの一部と角度を成す請求項１から２２いずれかに記載の装置。
【請求項２４】
アプリケーター素子が、射出成形製マスカラブラシによって構成される請求項１から２３いずれかに記載の装置。
【請求項２５】
請求項１から２１いずれかに記載の装置を唇のメーキャップのために使用する方法。
【請求項２６】
被塗布物収納容器、一端にアプリケーター素子を備えたロッドを有するアプリケーター、およびアプリケーターを容器から抜去するときにロッドとアプリケーター素子を払拭するワイパー部材を具備する収納塗布装置において、（ｉ）アプリケーター素子（３０、５０、６０、７０、８０、９０、１１０、１３０）が円錐状端部を有すると共に、ロッド（１９、４４）と角度を成し、（ii）該アプリケーター素子が、アプリケーターを抜去するときにワイパー部材内を通過するように弾性変形可能な弾性変形性本体（３１）を有し、（iii）アプリケーター素子がワイパー部材内を通過するときのワイパー部材の変形度が該アプリケーター素子の変形度よりも実質上小さくなることを特徴とする収納塗布装置。
【請求項２７】
被塗布物収納容器、一端にアプリケーター素子を備えたロッドを有するアプリケーター、およびアプリケーターを容器から抜去するときにロッドとアプリケーター素子を払拭するワイパー部材を具備する収納塗布装置において、（ｉ）アプリケーター素子（３０、５０、６０、７０、８０、９０、１１０、１３０）がロッドの軸の回りに非円形対称な形状を有すると共に、ロッド（１９、４４）と角度を成し、（ii）該アプリケーター素子が、アプリケーターを抜去するときにワイパー部材内を通過するように弾性変形可能な弾性変形性本体（３１）を有し、（iii）アプリケーター素子がワイパー部材内を通過するときのワイパー部材の変形度が該アプリケーター素子の変形度よりも実質上小さくなることを特徴とする収納塗布装置。
【発明の詳細な説明】
【０００１】
【発明の属する技術分野】
本発明は化粧品収納塗布装置であって、該化粧品の収納容器、一端にアプリケーター素子を備えたロッドを有するアプリケーター、およびアプリケーターを該容器から抜去するときに該アプリケーター素子を払拭するためのワイパー部材を具備する化粧品収納塗布装置に関する。
【０００２】
【従来の技術】
この種のタイプの収納塗布装置としては多数のものが知られている。化粧品の塗布を容易にするために、特定のアプリケーターにはロッドの軸と角度を成すアプリケーター素子が配設される。米国特許第４１６５７５５号明細書には、アプリケーターのロッドがその末端部にヒンジ部を有し、アプリケーター素子が該末端部に固定されたマスカラの収納塗布装置が提案されている。使用に際しては、アプリケーターは、容器の頚部がロッドのヒンジによって清浄化されるまで容器から部分的に抜き出される。その後、アプリケーター素子が該頚部と嵌合している間に、アプロケーター素子が傾斜して所望の形態で位置するように該ロッドを傾斜させる。このようなアプリケーターの製造は比較的複雑である。
【０００３】
まつげにマスカラを塗布するための湾曲したアプリケーター素子も知られている。このようなアプリケーター素子は十分に満足すべき状態での払拭作用を常に発揮するとは限らないだけでなく、アプリケーター素子の窪んだ側部に化粧品が多量に残存することがよくあることが判明した。
【０００４】
さらに、化粧品を所望の化粧効果に応じて異なる彩度で、特に唇上に塗布できるアプリケーターが要望されている。
【０００５】
【発明が解決しようとする課題】
本発明は比較的構造が簡単で、人間工学的に適合し、化粧品を手際よく塗布できる新規な収納塗布装置を提供するためになされたものである。
【０００６】
【課題を解決するための手段】
即ち本発明は、被塗布物収納容器、一端にアプリケーター素子を備えたロッドを有するアプリケーター、およびアプリケーターを容器から抜去するときにロッドとアプリケーター素子を払拭するワイパー部材を具備する収納塗布装置において、（ｉ）アプリケーター素子がロッドと角度を成し、（ii）該アプリケーター素子が弾性変形性本体および／またはアプリケーターを抜去するときにワイパー部材を通過させるように弾性変形するコアを有し、（iii）アプリケーター素子がワイパー部材内を通過するときのワイパー部材の変形度が該アプリケーター素子の変形度よりも実質上小さくなることを特徴とする収納塗布装置に関する。
【０００７】
【発明の実施の形態】
本発明によれば、前記の米国特許明細書に記載のような構造、例えば、アプリケーター素子のワイパー部材内の通過を可能にするようにヒンジをロッド上に配設するような構造を採用することなく、化粧品の塗布操作を促進する人間工学的に適合した構造のアプリケーター素子を製造することができる。即ち、このアプリケーター素子は容器内での貯蔵状態においては使用時の場合と同じ形態をとることができ、また、アプリケーターを抜去するときには、ワイパー部材内を容易に通過できる。アプリケーター素子は弾性変形してワイパー部材内を通過するので、アプリケーターは容器の軸に沿って抜去することができる。
【０００８】
本発明によれば、実行すべきメーキャップ操作の種類に十分に適合する形態を有するアプリケーター素子を提供することができる。
【０００９】
さらに、ロッドとの間に所定の角度が形成されると、アプリケーター素子は少なくとも１つの位置においてはワイパー部材をより強く押圧するので、該素子の表面上での化粧品の不均一な分布がもたらされる。アプリケーター素子の表面上に化粧品を不均一に分布させることにより、１回もしくは複数回の化粧品の供与が可能となるので、化粧品の塗布操作が促進されるという利点が得られる。
【００１０】
従って、アプリケーター素子は、一方の面が他方の面よりも多くの化粧品を保有するように払拭することができる。ユーザーは化粧品をより多く保有する面を利用して、例えば、唇の輪郭を描き、他方の面（該面はより強い払拭のために化粧品の保有量はより少ない）を利用して広い部位にわたって化粧品をより弱い彩度で塗布することができる。また、ユーザーは上唇と下唇の一方に他方とは異なる彩度で化粧品を塗布することもできる。
【００１１】
さらにまた、アプリケーター素子の不均一な払拭は、湾曲状アプリケーターを用いて特にマスカラを塗布する場合の欠点が、アプリケーター素子の窪み側における化粧品の残存量を減少させることによって改善されるという利点をもたらす。
【００１２】
アプリケーター素子は円錐状もしくは扁平状の端部を有していてもよい。端部が扁平状の場合、該端部は１つもしくは２つの外方向に凸状の主要面を有していてもよい。特定の態様においては、端部はロッドの軸と該端部の軸を含む面に対して垂直状に扁平であってもよい。端部は外方向に凸状の側部エッジを有していてもよい。また、端部はロッドの軸とアプリケーター素子の軸を含む面に対して平行状に扁平であってもよい。
【００１３】
アプリケーター素子は１つもしくは複数個の窪みを有していてもよい。アプリケーター素子はその表面上にフロックを有していてもよい。アプリケーター素子の本体はエラストマー材料製であってもよい。アプリケーター素子はロッドの軸を含む対称面の回りに対称な形態を有していてもよい。アプリケーター素子はロッドの軸の回りに非円形対称な形状であってもよい。
【００１４】
アプリケーター素子は、弾性変形可能なコアを有するマスカラブラシによって構成されていてもよい。コアはフロック、発泡体、織布もしくは不織布のようなカバーによって包囲されていてもよい。カバーの柔軟性はコアを構成する材料の柔軟性とは相違し、カバーはコアよりも柔軟にするのが好ましい。アプリケーター素子は弾性変形可能な本体を有していてもよく、このような素子は唇上に化粧品を塗布するのに利用してもよい。
【００１５】
ワイパー部材は実質上非変形性であるのが好ましく、特定の態様においては、硬質もしくは半硬質のプラスチック材料製にする。また、特定の態様においては、アプリケーター素子は伸長変形よりも屈曲変形のほうが容易におこなわれるように配設される。従って、例えば、アプリケーター素子が屈曲管状の場合には、該素子が塗布中は容易に屈曲するので快適な使用感が得られるが、ワイパー部材内を伸長状で通過するときには該素子の変形が困難になるので、化粧品は該素子の表面上に不均一に分布するようになる。
【００１６】
特定の態様においては、アプリケーター素子はロッドと一体成形される。別の態様においては、ロッドはアプリケーター素子の最大直径よりも小さな直径を有する部分を少なくとも１つ有する。さらに別の態様においては、アプリケーター素子の本体および／またはウェブの弾性は該素子に沿った位置の関数として変化する。従って、アプリケーター素子がワイパー部材内を通過した後で、多かれ少なかれ強く払拭される領域を該素子に１つもしくは複数個付与させることができる。
【００１７】
特定の態様においては、アプリケーター素子の端部は中間部またはロッドとの連結部よりも柔軟であるので、快適な使用感が得られる。別の態様においては、アプリケーター素子は射出成形されるマスカラブラシによって構成され、該ブラシは弾性変形可能なコアを有する。
【００１８】
さらに別の態様においては、アプリケーター素子はまつげもしくはまゆげをメーキャップするためのエラストマー製の櫛によって構成され、該櫛は外方向に凸状の縦方向面を提供する湾曲形態を有する細長本体を有し、該縦方向面上には少なくとも一列の歯状体が配設され、該縦方向面はロッドの軸に対して角度を成し、該角度はロッドからの距離の増加に伴って増加する。櫛は、ワイパー部材内の該櫛の通過を促進する形態の前部と後部を有するのが有利である。歯状体の反対側の側部において、該櫛は少なくとも１つの溝を有していてもよい。
【００１９】
櫛は、側部から見たときに三角形の少なくとも一列の歯状体を有していてもよく、該歯状体の底部は非接触状態で近接し、また，該櫛は該列の少なくとも一方の側に別の歯状体列を有していてもよい。
【００２０】
本発明はまた、唇、まつげまたはまゆげをメーキャップするために前述の装置を使用する方法も提供する。
【００２１】
本発明のその他の特徴や利点は、添付図に基づく本発明の非制限的な態様に関する以下の詳細な説明によって明らかにする。
【００２２】
図１は本発明の第１の態様による収納塗布装置の模式的分解組立図の軸断面図である。
図２はアプリケーターを容器の内部に格納した状態を示す図１の装置の軸断面図である。
図３はアプリケーターを容器から抜き出すときの状態を示す図１の装置の軸断面図である。
図４はアプリケーター素子がワイパー部材内を通過するときの状態を示す図１の軸断面図である。
図５は容器内へ最初に装着する前のアプリケーター素子の拡大側面図である。
【００２３】
図６は払拭後の状態を示す図５のアプリケーター素子の拡大側面図である。
図７は図１に示すアプリケーターを用いて唇をメーキャップするときの様子を示す正面図である。
図８は図１に示すアプリケーターを用いて唇をメーキャップするときの様子を示す側面図である。
図９は本発明の第２の態様によるアプリケーター素子を容器から引き抜くときの状態（該素子がワイパー部材と接触しない状態）を示す軸断面図である。
図１０は図９に示すアプリケーター素子の引き抜き操作がさらに進行した状態を示す軸断面図である。
【００２４】
図１１は図１０に示すアプリケーター素子の引き抜き操作がさらに進行した状態を示す軸断面図である。
図１２は本発明の第３の態様によるアプリケーター素子の模式図である。
図１３は図１２の矢印（XIII）の方向から見た図である。
図１４は図１３の矢印（XIV）の方向から見た図である。
図１５は図１３の矢印（XV）の方向から見た図である。
【００２５】
図１６は本発明の第４の態様によるアプリケーター素子の模式図である。
図１７は図１６の矢印（XVII）の方向から見た図である。
図１８は本発明の第５の態様によるアプリケーター素子の模式図である。
図１９は本発明の第６の態様によるアプリケーター素子の模式図である。
図２０は図１９の矢印（XX）の方向から見た図である。
【００２６】
図２１は本発明の第７の態様によるアプリケーター素子の模式図である。
図２２は図２１の矢印（XXII）の方向から見た図である。
図２３は本発明の第８の態様によるアプリケーター素子の模式図である。
図２４は本発明の第９の態様によるアプリケーター素子の模式図である。
図２５は１つの面上に突出素子列が配設されたアプリケーター素子の部分的斜視断面図である。
【００２７】
図１〜図４に示す収納塗布装置（１０）は容器（１１）およびアプリケーター（１２）を具備する。容器（１１）は軸（Ｘ）の回りに環状の円筒状本体（１３）を有する。該本体の底部は底部壁（１４）によって閉鎖され、該本体の上部は端部材を収容するために開放されている。端部材（１５）の上部は容器の頚部（１６）を構成し、該端部材の下部はワイパー部材（１７）として機能する。
【００２８】
アプリケーター（１２）は軸（Ｘ）に沿って直線状のロッド（１９）を有しており、該ロッドはその上部端および下部端に把持部材（２０）およびアプリケーター素子（３０）をそれぞれ有する。把持部材（２０）は内部にねじ山が設けられたスカート（２１）を有しており、該把持部材は該スカートを介して容器（１１）の頚部（１６）にねじ込み状態で装着される。図示する態様においては、ロッド（１９）は円形状断面を有する。
【００２９】
ワイパー部材（１７）は軸（Ｘ）の回りに円形対称の環状リップによって構成されており、該部材の底部端（２４）の内部エッジは円形オリフィス（２５）を限定する。該オリフィスはロッド（１９）の直径と実質上等しい直径を有しているので、アプリケーター（１２）を容器から抜去するときにロッド（１９）の払拭がおこなわれる（これについては以下において詳述する）。
【００３０】
オリフィス（２５）に隣接する環状リップ（１７）の内部表面は幾分円錐状である。環状リップ（１７）は、アプリケーターの容器内への挿入を促進するように設計された挿入用円錐面（２６）を形成するのが有利である。図示する態様の場合、環状リップ（１７）は硬質プラスチック材料製であって、アプリケーターの抜去時には大きな変形を示さない。
【００３１】
図５には、エラストマー材料から、例えば、成形によって製造される本体（３１）を有するアプリケーター素子（３０）を示す。図示する態様の場合、本体（３１）は、丸みを帯びた先端（３３）で終わる軸（Ａ）に沿った円錐状端部（３２）を有する。円錐状端部（３２）は円筒状中間部（３４）を介して軸（Ｘ）の固定部（３５）と連結する。円錐状端部（３２）と円筒状中間部（３４）は本体（３１）よりも柔軟なフロック（３６）で覆われているので、化粧品の保持性と使用時の快適さが改善される。
【００３２】
固定部（３５）と中間部（３４）は同一の直径を有しており、該直径はロッド（１９）の直径よりも幾分小さい。以下において、内部面（３７）とは、軸（Ａ）と軸（Ｘ）によって形成される屈曲部の窪んだ側に位置するアプリケーター素子（３０）の内側の面を意味し、また、外部面（３８）は該内部の反対側の面を示す。実質上容器（１１）の軸（Ｘ）上に位置するロッド（１９）を有するアプリケーター（１２）を容器（１１）から抜去するに際しては、ワイパーリップ（ワイパー部材）（１７）はロッド（１９）の払拭を開始する（図３参照）。
【００３３】
その後、ワイパーリップ（１７）はアプリケーター素子（３０）を払拭する。この場合、該素子は、その本体（３１）が弾性変形可能な材料から製造されているので、ワイパーリップ（１７）内を通過するときに伸長する（図４参照）。アプリケーター素子（３０）がワイパーリップ（１７）内を通過するときには、円錐状端部（３２）の軸（Ａ）と容器の軸（Ｘ）との間に形成されるゼロでない角度（ａ）は減少する。この角度（ａ）は２５度、３５度、４５度またはそれ以上であってもよい。
【００３４】
さらに、アプリケーター素子（３０）はそれ自身の弾性に起因して元の形態に復帰するので、外部面（３８）よりも内部面（３７）においてワイパーリップ（１７）を強く押圧する。その結果、アプリケーター素子（３０）は内部面（３７）において、その反対面よりも強く払拭されるので、アプリケーターが容器から完全に抜去されると、外部面（３８）上により厚い層の化粧品（Ｐ）が保有される（図６参照）。
【００３５】
化粧品の塗布に際しては、外部面（３８）上に存在するより厚い層の化粧品を用いて、例えば、唇の輪郭を描くことができるので有利である。図７に示す塗布操作と図８の実線で示す塗布操作から明らかなように、上唇に外部面（３８）を接触させた状態で移動させるようにしてアプリッケーターを使用することができる。外部面（３８）上にはより厚い層の化粧品が存在するので、濃いメーキャップがおこなわれる。下唇のメーキャップをおこなうためには、ユーザーは外部面（３８）を使用するか、または、図８の破線で示すように、内部面（３７）を利用することができる。
【００３６】
内部面（３７）の表面上にはより薄い層の化粧品が存在するので、該内部面を使用することによって、より薄いメーキャップをおこなうことができる。従って、本発明によれば、内部面（３７）と外部面（３８）を適宜選択することによって、メーキャップの彩度（濃さ）を調整することができる。ユーザーは外部面（３８）を用いて唇の輪郭を描いた後、所望の化粧効果に応じて、外部面または内部面を用いて一方もしくは他方の唇、または両方の唇の全体をメーキャップすることができる。ユーザーは、一方の唇は内部面（３７）を用いてメーキャップし、他方の唇は外部面（３８）を用いてメーキャップすることもできる。
【００３７】
図示する態様においては、アプリケーター素子は先細状の形態を有するので、その端部は、ロッドと屈曲部を形成する該素子の一部の領域よりも容易に変形する。従って、アプリケーター素子は伸長状変形よりも屈曲状変形をおこない易い。
【００３８】
図９〜図１１には、本発明による収納塗布装置の第２態様の一部を示す。この装置は、開口部にワイパー部材（４２）を備えた容器（４１）および末端に固定されたロッド（４４）とアプリケーター素子を備えたアプリケーター（４３）を具有する。ワイパー部材（４２）は容器の内側に向かって収束する幾分円錐状の内部面（４６）を有し、該部材の底部エッジは、ロッド（４４）を払拭するのに適した直径を有する円形オリフィス（４７）を制限する。
【００３９】
アプリケーター素子（４５）は弾性変形可能な材料製の本体を有しており、該本体はフロックによって覆われる。アプリケーター素子の本体は、ロッド（４４）に固定された固定部（４８）、該ロッドの軸（Ｘ）と角度を成す軸（Ｂ）の中間部（４９）、および該中間部の軸（Ｂ）と角度（ｂ）を成す軸（Ｃ）の先細状末端部（５０）を有する。
【００４０】
中間部（４９）と末端部（５０）はアプリケーター素子（４５）に湾曲状形態を付与し、その内部面（５１）は外方向と軸（Ｘ）に対して凹状であり、その外部面（５２）は外方向に対して凸状である（図９参照）。アプリケーターを容器から抜去するに際しては、アプリケーター素子はワイパー部材（４２）のオリフィス（４７）を通過するように伸長変形するのに適している。
【００４１】
中間部（４９）は軸（Ｘ）の方へ移動することによって変形し、末端部（５０）は、図９の矢印で示すように、外方向にピボット運動し易い。ワイパー部材（４２）のオリフィス（４７）を制限するエッジは図１０に示す状態で進行するので、アプリケーター素子の末端部（５０）の内部面は、図１１に示すように、不均一に払拭される。より厚い層の化粧品は、前述のように、メーキャップしようとする部位の輪郭を描くのに使用することができる。
【００４２】
図１２〜図１５は、本発明の第３態様におけるアプリケーター素子（６０）を示す。このアプリケーター素子（６０）は弾性変形可能な材料製の本体（６１）を有する。本体（６１）は軸（Ｘ）上にアプリケーターのロッドに固定するための固定部（６２）を有すると共に、軸（Ｘ）と角度を成す軸（Ａ）上に末端部（６３）を有する。軸（Ａ）と軸（Ｘ）によって制限される平面に垂直な平面（Ｓ）内において扁平であって、２つの向かい合った主要面（６４）および（６５）を有する。これらの主要面は外側に凸状であって、横方向は丸みを帯びたエッジ（６６）によって制限される。
【００４３】
アプリケーター素子（６０）はワイパー部材内を通過するときには伸長変形するので、軸（Ａ）と軸（Ｘ）の間の角度は減少する。アプリケーター素子の末端部（６３）も横方向の圧縮作用を受けるが、これは、向かい合った横方向エッジ（６６）の間の距離がワイパー部材のオリフィスの直径よりも大きいからである。前述の態様の場合と同様に、内部面（６８）は外部面（６９）よりも強く払拭される。
【００４４】
図１６および図１７は本発明の第４態様におけるアプリケーター素子（７０）を示す。このアプリケーター素子（７０）は弾性変形可能な材料製の本体（７１）を有する。本体（７１）はアプリケーターのロッドへ固定するための固定部（７２）および軸（Ｘ）と角度を成す軸（Ａ）に沿って延びる一般に先細状の末端部（７４）を有する。末端部（７４）は化粧品を保有するように設計された窪み（７５）を有していてもよい。また、このアプリケーター素子はフロック（７７）を有していてもよい（図１８参照）。
【００４５】
図１９および図２０は本発明の第６態様におけるアプリケーター素子（８０）を示す。このアプリケーター素子（８０）は弾性変形可能な材料製の本体（８１）を有し、該本体はアプリケーターのロッドへ固定するための固定部（８２）および面取りした末端部（８３）を有する。この末端部（６３）はロッドの軸（Ｘ）とゼロではない角度を成す軸（Ａ）に沿って延びる（図１９参照）。
【００４６】
図２１および図２２は本発明の第７態様におけるアプリケーター素子（９０）を示す。該素子は弾性変形可能な材料製の本体（９１）を有し、該本体はアプリケーターのロッドに固定するための固定部（９２）および軸（Ａ）上の末端部（９３）を有する。末端部（９３）は図１２に示す態様における末端部（６３）と次の点を除けば同一である。即ちこの場合には、平面（Ｓ）内において扁平な該末端部は、軸（Ａ）と軸（Ｘ）によって制限される平面に対して垂直ではなく、この平面内に位置する。
【００４７】
図２３は、プラスチック材料の射出成形によって製造されるマスカラブラシによって構成されるアプリケーター素子（１１０）を有するアプリケーター（１００）の一部を示す。該素子のコア（１１１）は弾性変形可能であって、休止時には湾曲形態をとる。マスカラブラシ（１１０）の末端部においては、内部面（１１２）の方が外部面（１１３）よりも強く払拭される。これによって、コア（１１１）の凹状面上への化粧品の付着量は減少する。
【００４８】
図２４は本発明の第９態様におけるアプリケーター素子（１３０）を示す。該素子はエラストマーの射出成形によって一体的に形成される。このアプリケーター素子（１３０）はまつげまたはまゆげに化粧品を塗布するための櫛を構成する。櫛（１３０）はアプリケーターロッドの自由端に固定するための末端部材（１３３）を軸（Ｘ）上に有する。末端部材（１３３）は細長い本体（１３４）に連結されており、該本体は軸（Ｘ）に対して垂直な軸の回りに湾曲し、該本体に関して対称な中間平面を有する。該中間平面は図２４の平面に対して平行である。
【００４９】
本体（１３４）は、ワイパー部材内の櫛の通過をより容易にするような形態を有する前部（１３１）と後部（１３２）を有する。本体（１３４）は凸状の縦方向面(１３５）を有し、該面上には歯状体（１３６）が列状に配設される。前部（１３１）と後部（１３２）は歯状体（１３６）と実質上同じ高さで延びる。歯状体（１３６）と反対側においては、本体（１３４）は縦方向の溝（１３７）を有する。
【００５０】
図２４に示すように、櫛を横方向から見ると、対になった一連の歯状体（１３６）はＶ字形のノッチを形成する。櫛は湾曲形態を有するので、歯状体（１３６）の間にまつげを容易にかみ合わせることができる。払拭中は、櫛（１３０）は伸長変形し、歯状体（１３６）の間に保有された化粧品は、特に横方向へ放出される。化粧品の一部は塗布中の補充品として溝（１３７）の内部に残存し、まつげは櫛（１３０）の背部と接触させることができる。
【００５１】
歯状体（１３６）の列は他の形態、例えば、図２５に示すような形態の歯状体で置き換えてもよい。図２５は３列の歯状体（１４０）、（１４２）および（１４３）を示しており、これらの歯状体は、例えば、櫛（１３０）の凸状面（１３５）に連結されて歯状体（１３６）と代替する。歯状体（１４０）および（１４１）は形態が同じであって、歯状体（１４２）のいずれかの側部に配設される。これらの歯状体は、横から見た場合には三角形の輪郭を有し、これらの底部は接触しない。
【００５２】
本発明は上述の諸態様に限定されるものではない。特に、アプリケーター素子の形態やワイパー部材の形態は本発明の範囲を逸脱することなく改変することができる。従って、人間工学的に適合した形態を有するその他のアプリケーター素子を製造することができる。アプリケーターのロッドは必ずしも直線状でなくてもよく、湾曲していてもよい。このような場合には、アプリケーター素子が角度を成す軸は、ロッドがアプリケーター素子に隣接する部分の軸となる。
【００５３】
【発明の効果】
従来品に比べて構造が比較的簡単であって、人間工学的に適合した本発明による化粧品収納塗布装置を用いることによって、ユーザーは所望の化粧効果を手際よく、思いのままに得ることができる。
【図面の簡単な説明】
【図１】  本発明の第１の態様による収納塗布装置の模式的分解組立図の軸断面図である。
【図２】  アプリケーターを容器の内部に格納した状態を示す図１の装置の軸断面図である。
【図３】  アプリケーターを容器から抜き出すときの状態を示す図１の装置の軸断面図である。
【図４】  アプリケーター素子がワイパー部材内を通過するときの状態を示す図１の軸断面図である。
【図５】  容器内へ最初に装着する前のアプリケーター素子の拡大側面図である。
【図６】  払拭後の状態を示す図５のアプリケーター素子の拡大側面図である。
【図７】  図１に示すアプリケーターを用いて唇をメーキャップするときの様子を示す正面図である。
【図８】  図１に示すアプリケーターを用いて唇をメーキャップするときの様子を示す側面図である。
【図９】  本発明の第２の態様によるアプリケーター素子を容器から引き抜くときの状態（該素子がワイパー部材と接触しない状態）を示す軸断面図である。
【図１０】  図９に示すアプリケーター素子の引き抜き操作がさらに進行した状態を示す軸断面図である。
【図１１】  図１０に示すアプリケーター素子の引き抜き操作がさらに進行した状態を示す軸断面図である。
【図１２】  本発明の第３の態様によるアプリケーター素子の模式図である。
【図１３】  図１２の矢印（XIII）の方向から見た図である。
【図１４】  図１３の矢印（XIV）の方向から見た図である。
【図１５】  図１３の矢印（XV）の方向から見た図である。
【図１６】  本発明の第４の態様によるアプリケーター素子の模式図である。
【図１７】  図１６の矢印（XVII）の方向から見た図である。
【図１８】  本発明の第５の態様によるアプリケーター素子の模式図である。
【図１９】  本発明の第６の態様によるアプリケーター素子の模式図である。
【図２０】  図１９の矢印（XX）の方向から見た図である。
【図２１】  本発明の第７の態様によるアプリケーター素子の模式図である。
【図２２】  図２１の矢印（XXII）の方向から見た図である。
【図２３】  本発明の第８の態様によるアプリケーター素子の模式図である。
【図２４】  本発明の第９の態様によるアプリケーター素子の模式図である。
【図２５】  １つの面上に突出素子列が配設されたアプリケーター素子の部分的斜視断面図である。
【符号の説明】
１０    収納塗布装置
１１    容器
１２    アプリケーター
１３    本体
１４    底部壁
１５    端部材
１６    頚部
１７    ワイパー部材
１９    ロッド
２０    把持部材
２１    スカート
２４    底部端
２５    オリフィス
２６    円錐面
３０    アプリケーター素子
３１    本体
３２    円錐状端部
３３    先端
３４    中間部
３５    固定部
３６    フロック
３７    内部面
３８    外部面
４１    容器
４２    ワイパー部材
４３    アプリケーター
４４    ロッド
４５    アプリケーター素子
４６    内部面
４７    オリフィス
４８    固定部
４９    中間部
５０    アプリケーター素子
５１    内部面
５２    外部面
６０    アプリケーター素子
７０    アプリケーター素子
７７    フロック
８０    アプリケーター素子
９０    アプリケーター素子
１１０    アプリケーター素子
１１１    コア
１３０    アプリケーター素子
１３４    本体
１３６    歯状体
１４０    歯状体
１４１    歯状体
１４２    歯状体
【図１】
0003811458.tif 000002
【図２】
0003811458.tif 000003
【図３】
0003811458.tif 000004
【図４】
0003811458.tif 000005
【図５】
0003811458.tif 000006
【図６】
0003811458.tif 000007
【図７】
0003811458.tif 000008
【図８】
0003811458.tif 000009
【図９】
0003811458.tif 000010
【図１０】
0003811458.tif 000011
【図１１】
0003811458.tif 000012
【図１２】
0003811458.tif 000013
【図１３】
0003811458.tif 000014
【図１４】
0003811458.tif 000015
【図１５】
0003811458.tif 000016
【図１６】
0003811458.tif 000017
【図１７】
0003811458.tif 000018
【図１８】
0003811458.tif 000019
【図１９】
0003811458.tif 000020
【図２０】
0003811458.tif 000021
【図２１】
0003811458.tif 000022
【図２２】
0003811458.tif 000023
【図２３】
0003811458.tif 000024
【図２４】
0003811458.tif 000025
【図２５】
0003811458.tif 000026